(57)【特許請求の範囲】
【請求項１】
建築板を左右に隣接配置すると共に，隣り合う建築板の間に間隙を形成してなり，かつ該間隙にシーリング材を充填してなる，建築板の接合構造において，
上記隣り合う建築板の少なくとも一方には，その側端部の表面側において，上記間隙内に突出する対向段部を設けてなり，また，該対向段部よりも奥部にはシーリング室を設けてなり，
該シーリング室内には上記対向段部との間に空隙を設けた状態で上記シーリング材を充填してなることを特徴とする建築板の接合構造。
【請求項２】
請求項１において，上記シーリング室の裏面側には目地板を配設してあることを特徴とする建築板の接合構造。
【請求項３】
請求項１又は２において，上記隣り合う建築板の少なくとも一方には，その側端部の裏面側において，上記間隙内に突出する裏板部を設けてなり，
該裏板部は相手側の建築板に当接してあることを特徴とする建築板の接合構造。
【請求項４】
請求項１〜３のいずれか一項において，上記建築板は，上実と下実とを設けてなる合決り構造を有することを特徴とする建築板の接合構造。
【請求項５】
請求項１〜４のいずれか一項において，上記建築板は，窯業系建築板であることを特徴とする建築板の接合構造。
【発明の詳細な説明】
【０００１】
【技術分野】
本発明は，左右に隣接配置した外壁板の間の間隙にシーリング材を充填した，建築板の接合構造に関する。
【０００２】
【従来技術】
従来，図８に示すごとく，横張り工法で施工した建築板の接合構造９においては，横長の建築板９２が左右に隣接配置してあり，これらの間（縦目地）の間隙３には，目地板５を使用してシーリング材９４が配設してある。
上記建築板９２の側端部９２１は，建築板の長手方向Ｌと垂直に形成された平坦な対向面９２２を有する。また，上記シーリング材９４は，左右の建築板９２の対向面９２２全体に接しており，通常，上記建築板９２の表面側９２６近くまで多めに充填してある。これは，漏水防止効果を確実にするためである。
【０００３】
【解決しようとする課題】
しかしながら，上記従来の建築板の接合構造においては，次の問題がある。
即ち，上記シーリング材９４の表面側９４６は，施工した建築板９２の表面側９２６近くに露出している。そのため，上記シーリング材９４は目につきやすく，シーリング作業のムラが建物の外観に反映されやすい。
また，上記シーリング材９４の表面側９４６は，その全面にわたって外気に晒されるので，上記シーリング材９４の退色や脆化等の劣化が早まる。そのため，施工後の早い時期に，上記シーリング材９４の外観が悪くなり，建物の外観や漏水防止効果上において，好ましくない影響を与え始める。
【０００４】
また，通常，シーリング材９４の材質としては，表面に艶の出るものや，粘着性を有するものを用いることが多い。
表面に艶の出るシーリング材を用いる場合には，シーリング材９４とこれに隣接する建築板９２との外観上の調和を図りにくくなる。また，シーリング材９４が一層目立ちやすくなる。また，粘着性を有するシーリング材を用いる場合には，シーリング材９４に汚れが付着しやすく，建物の美観を損ねやすくなる。
【０００５】
これを解決するため，シーリング材９４の充填量を減らすことが考えられるが，この場合には，建築板９２の対向面９２２からシーリング材９４が剥がれやすくなる。そのため，シーリング作業に熟練した者でなくては，シーリング材９４の充填量を必要最低限におさえることは困難である。
【０００６】
本発明は，かかる従来の問題点に鑑みてなされたもので，施工した建築板の表面側へのシーリング材の露出を抑え，シーリング材の劣化を防止すると共に，建物の外観性に優れた建築板の接合構造を提供しようとするものである。
【０００７】
【課題の解決手段】
請求項１に記載の発明は，建築板を左右に隣接配置すると共に，隣り合う建築板の間に間隙を形成してなり，かつ該間隙にシーリング材を充填してなる，建築板の接合構造において，
上記隣り合う建築板の少なくとも一方には，その側端部の表面側において，上記間隙内に突出する対向段部を設けてなり，また，該対向段部よりも奥部にはシーリング室を設けてなり，
該シーリング室内には上記対向段部との間に空隙を設けた状態で上記シーリング材を充填してなることを特徴とする建築板の接合構造にある。
【０００８】
本発明において最も注目すべきことは，上記隣り合う建築板の少なくとも一方に上記対向段部を設けてあり，該対向段部よりも奥部に設けられた上記シーリング室内に上記シーリング材が充填してあることである。
【０００９】
次に，本発明の作用効果につき説明する。
本発明においては，上記対向段部により，上記シーリング室の開口部の幅を狭めてある。そのため，上記シーリング室内に充填するシーリング材が，施工した建築板の表面側に露出することを抑えることができる。それ故，シーリング作業にムラがあったり，上記シーリング材の仕上がりに多少の不具合が生じても，建物の外観に及ぼす影響は小さくて済む。
【００１０】
また，上記シーリング材の表面側は，部分的にではあるが，上記対向段部により外気から保護されている。そのため，上記シーリング材の退色や脆化等の劣化を防止できる。
【００１１】
また，上記シーリング材の表面側は，上記のごとく，露出を抑えられており，さらに，上記建築板の表面側よりも奥部に位置している。
そのため，上記シーリング材として表面に艶の出るものを用いても，上記シーリング材とこれに接する建築板との外観上の違和感を緩和できる。また，上記シーリング材として粘着性を有するものを用いても，上記シーリング材に汚れが付着しにくくなる。
【００１２】
このように，本発明によれば，施工した建築板の表面側へのシーリング材の露出を抑え，シーリング材の劣化を防止することができる。また，建物の外観性を優れたものとすることができる。
【００１３】
次に，請求項２の発明のように，上記シーリング室の裏面側には目地板を配設してあることが好ましい。
この場合には，上記シーリング室に上記シーリング材を容易に配設できる。
【００１４】
次に，請求項３の発明のように，上記隣り合う建築板の少なくとも一方には，その側端部の裏面側において，上記間隙内に突出する裏板部を設けてなり，
該裏板部は相手側の建築板に当接してあることが好ましい。
この場合には，上記シーリング室を上記建築板のみで形成できるので，上記目地板を使用する必要がなくなる。
【００１５】
次に，請求項４の発明のように，上記建築板の接合構造は，上記建築板が上実と下実とを設けてなる合決り構造を有する場合にも適用することができる。
この場合には，シーリング材を用いることのない通常の実接合に比べて，防水性を向上できる。
【００１６】
次に，請求項５の発明のように，上記建築板は，窯業系建築板であることが好ましい。
この場合には，特に，表面に艶の出るシーリング材との外観上の違和感が著しくなるため，本発明の建築板の接合構造の適用が有益である。
【００１７】
【発明の実施の形態】
実施形態例１
本発明の実施形態例にかかる建築板の接合構造につき，図１〜図４を用いて説明する。
本例の建築板の接合構造１は，図１，図２に示すごとく，建築板２を左右に隣接配置すると共に，隣り合う建築板２の間に間隙３を形成してなり，かつ該間隙３にシーリング材４を充填してなる。
上記隣り合う建築板２の少なくとも一方には，その側端部２１の表面側２６において，上記間隙３内，即ち上記建築板２の側端部２１が互いに対向する方向に突出する対向段部２３を設けてある。また，該対向段部２３よりも奥部には，目地板５を使用してシーリング室２４を設けてある。
該シーリング室２４内には上記シーリング材４を充填してある。
【００１８】
以下，詳説する。
上記建築板２は窯業系建築板であり，横張り工法で施工される横長の建築板である。
図１に示すごとく，上記建築板２は，その側端部２１の裏面側２７において，建築板の長手方向Ｌと垂直に形成された平坦な対向面２２を有する。
上記建築板の対向段部２３は，上記対向面２２よりも前部に位置し，建築板の長手方向Ｌに沿って突出形成してある。
【００１９】
上記建築板２は，互いの側端部２１が対向するよう左右に配設してある。そして，隣り合う建築板２の間の間隙３において，左右の対向面２２の間には上記シーリング室２４が形成してあり，左右の対向段部２３の間には上記シーリング室２４の開口部２４０が形成してある。上記シーリング室の開口部２４０の幅Ｗは，例えば上記間隙３の幅Ｘの５０％とする（図２）。
【００２０】
また，上記シーリング室２４の裏面側に配設される目地板５は，左右の建築板２の裏面側２７に当接されており，上記シーリング室２４の奥の壁面を形成している。また，上記対向面２２は，上記シーリング室２４の左右の壁面を形成している。そして，上記シーリング室２４の３つの壁面には上記シーリング材４が接している。
【００２１】
図２に示すごとく，上記シーリング材４の表面側４６は，上記建築板２の表面側２６よりも奥部に位置している。なお，ここでは，上記シーリング材４としては，表面に艶が出る，通常の安価なものを用いている。
【００２２】
そして，図２に示すごとく，上記建築板２は，金具又はビス（図示略）により，縦胴縁６１を介して柱６２に固定されている。なお，上記縦胴縁６１と柱６２との間には，防水紙６３が配設してある。また，左右の建築板２の間の縦目地には，上記のごとく，上記シーリング材４により目地シーリングを施してある。
【００２３】
なお，上記接合構造に関して具体例を示せば，上記建築板の対向段部２３は，上記対向面２２から２．５ｍｍ突出している。また，上記シーリング室の開口部の幅Ｗは５ｍｍであり，上記間隙の幅Ｘは１０ｍｍである。また，上記シーリング材４は幅１０ｍｍ，厚み６ｍｍで打設されている。
【００２４】
上記建築板の接合構造１は，例えば図３に示すごとき方法により，施工することができる。
即ち，図３（ａ）に示すごとく，上記シーリング材４として，粘着性を有する弾性材料のものを使用し，上記シーリング室２４内に収容され得る最大形状よりも，やや大きめに形成されたシーリング材４を，上記目地板５に貼着させて一体化したものを用意する。
【００２５】
次いで，図３（ｂ）に示すごとく，一方の建築板（ここでは，右方の建築板）の裏面側２７に上記目地板５の一端を挟み込み，上記シーリング材４の一方の側端面を上記建築板の対向面２２に圧接させるようにして，上記縦胴縁６１に上記目地板５を取り付ける。
【００２６】
次いで，図３（ｃ）に示すごとく，他方の建築板（ここでは，左方の建築板）の裏面側２７で上記目地板５の他端を押さえながら，この建築板の対向面２２を上記シーリング材４の他方の側端面に圧接させるようにして，上記建築板２を上記柱６２に取り付ける。
このようにして，図１に示すごとく，左右の建築板２の間に形成されたシーリング室２４内に，上記シーリング材４が密着性よく収容される。
【００２７】
また，上記建築板の接合構造１は，例えば図４に示すごとき方法により，施工することもできる。
即ち，図４（ａ）に示すごとく，上記目地板５を上記縦胴縁６１に対して取り付けると共に，左右の建築板２を上記柱（図２参照）に対して固定する。このとき，左右の対向段部２３の間には，上記シーリング室の開口部２４０として５ｍｍの間隙を設けておく。そして，左右の対向面２２の間にシーリング室２４を形成する。
【００２８】
次いで，図４（ｂ）に示すごとく，上記開口部２４０から上記シーリング室２４内に，コーキングガン７の噴出部７１を挿入する。次いで，図４（ｃ）に示すごとく，上記コーキングガン７を９０度回転させ，上記噴出部７１の幅広先端部７１１から，粘着性を有するペースト状のシーリング材４を所定量充填していく。これにより，図１に示すごとく，左右の建築板２を上記シーリング材４によって接合する。
【００２９】
次に，本例の作用効果につき説明する。
本例においては，図１，図２に示すごとく，上記対向段部２３により，上記シーリング室の開口部２４０の幅Ｗを狭めてある。そのため，上記シーリング室２４内に充填するシーリング材４が，施工した建築板２の表面側２６に露出することを抑えることができる。それ故，仮に上記コーキングガン７による充填等，シーリング作業にムラがあったり，上記シーリング材４の仕上がりに多少の不具合が生じても，建物の外観に及ぼす影響は小さくて済む。
【００３０】
また，上記シーリング材４の表面側４６は，部分的にではあるが，上記対向段部２３により外気から保護されている。そのため，上記シーリング材４の退色や脆化等の劣化が大幅に遅れるので，施工後の早い時期に，建物の外観性が低下することを防止できる。
【００３１】
また，上記シーリング材４の表面側４６は，上記のごとく，露出を抑えられており，さらに，上記建築板２の表面側２６よりも奥部に位置している。
そのため，上記シーリング材４として，上記のごとく，表面に艶の出るものを用いても，上記シーリング材４とこれに接する建築板２との外観上の違和感を緩和できる。また，粘着性を有するものを用いても，上記シーリング材４に汚れが付着しにくくなる。それ故，上記シーリング材４として，通常の安価なものを使用することができる。
【００３２】
また，図２に示すごとく，上記シーリング室の開口部２４０の幅Ｗは，上記間隙３の幅Ｘよりも狭く，かつ外観的に支障のない所定幅に形成されている。
そのため，外観的に支障のない縦目地が形成されるので，建物全体としての外観意匠を損なうことがない。また，上記シーリング材４が受光する面積が実質的に狭くなるため，上記シーリング材４の退色や脆化等の劣化を遅延させる効果も十分に発揮される。
【００３３】
また，上記シーリング室２４の裏面側には上記目地板５を配設してある。そのため，図１，図３に示すごとく，上記シーリング室２４に上記シーリング材４を容易に配設できる。また，必要に応じて，図４に示すごとく，従来例と同様の方法で，上記シーリング室２４に上記シーリング材４を充填することもできる。
【００３４】
また，本例の接合構造によれば，上記建築板２として窯業系建築板を用いても，上記表面に艶の出るシーリング材４との外観上の違和感は大幅に低減できる。
【００３５】
また，上記シーリング材４における上記建築板２との接着部分は，外気に晒されにくく，脆化が防止される。そのため，上記シーリング材４は上記建築板２から剥がれにくくなるので，上記のごとく，上記シーリング材４の充填量を従来例よりも減らすことができる。
また，上記シーリング材４は６ｍｍ以上の厚みで充填してあるので，シーリング効果を一層確実に確保することができる。
【００３６】
実施形態例２
本例は，図５に示すごとく，目地板５を使用せずに，上記建築板２のみで上記シーリング室２４の壁面を形成した例である。
即ち，上記隣り合う建築板２には，その側端部２１の裏面側２７において，上記間隙３内に突出する裏板部２５を設けてあり，該裏板部２５は相手側の建築板２の裏板部２５に当接してある。
【００３７】
上記裏板部２５は，図５（ａ）に示すごとく，建築板の長手方向Ｌと垂直に形成された平坦な対向面２２より突出形成してある。
その他は，実施形態例１と同様である。
【００３８】
本例においては，上記建築板２の裏板部２５及び対向面２２のみで上記シーリング室２４の壁面を形成できる。そのため，上記目地板５を使用する必要がなくなる。
その他，実施形態例１と同様の作用効果を得ることができる。
【００３９】
また，上記裏板部２５は，図５（ｂ）に示すごとく，上記対向面２２がテーパ状になるよう突出形成してもよい。この場合には，上記シーリング材４と上記対向面２２との密着性が向上する。
また，上記裏板部２５は，図５（ｃ）に示すごとく，上記対向面２２が楕円状になるよう突出形成してもよい。この場合には，上記シーリング材４と上記対向面２２との密着性がさらに向上する。
【００４０】
実施形態例３
本例は，図６に示すごとく，上記隣り合う建築板の一方のみに上記対向段部２３を設けた例である。
図６（ａ）に示すごとく，左方には従来例の建築板９２を配置し，右方には実施形態例１の建築板２を配置してある。そして，上記シーリング室２４は，上記対向面９２２，２２の間に形成してあり，上記シーリング室の開口部２４０は，上記対向段部２３と上記対向面９２２との間に形成してある。
その他は，実施形態例１と同様である。
本例においても，実施形態例１と同様の作用効果を得ることができる。
【００４１】
また，図６（ｂ）に示すごとく，上記建築板２に上記裏板部２５を設け，該裏板部２５を相手側の建築板９２に当接させてもよい。この場合には，実施形態例２と同様に，上記目地板５を使用する必要がなくなる。
【００４２】
実施形態例４
本例は，図７に示すごとく，上記建築板の接合構造を，上記建築板２が上実２８と下実２９とを設けてなる合決り構造を有する場合に適用した例である。
図７（ａ）に示すごとく，左方には上実２８を有する建築板２を配置し，右方には下実２９を有する建築板２を配置してある。上記対向段部２３は上記上実２８の奥部に形成してあり，上記対向面２２は上記対向段部２３の奥部，及び上記下実２９の側端面に形成してある。
【００４３】
そして，上記対向面２２の間にシーリング室２４が形成してあり，このシーリング室の開口部２４０は，上記対向段部２３と上記下実２９との間に形成してある。その他は，実施形態例１と同様である。
【００４４】
本例においては，シーリング材を用いることのない通常の実接合に比べて，防水性を向上できる。
その他，実施形態例１と同様の作用効果を得ることができる。
【００４５】
また，上記シーリング室２４は，図７（ｂ），図７（ｃ）に示すごとく，上記上実２８と上記下実２９との間に設けてもよい。
この場合には，上記上実２８を上記対向段部２３として兼用でき，上記下実２９を上記裏板部２５として兼用できる。また，実施形態例２と同様に，上記目地板５を使用する必要がなくなる。
なお，本発明の建築板の接合構造は，四方合決り構造を有するものにも適用することができる。
【００４６】
【発明の効果】
上述のごとく，本発明によれば，施工した建築板の表面側へのシーリング材の露出を抑え，シーリング材の劣化を防止すると共に，建物の外観性に優れた建築板の接合構造を提供することができる。
【図面の簡単な説明】
【図１】実施形態例１における，建築板の接合構造の断面図。
【図２】実施形態例１における，建築板の施工図。
【図３】実施形態例１における，建築板の施工方法の一例を説明する断面図。
【図４】実施形態例１における，シーリング材充填の一例を説明する断面図。
【図５】実施形態例２における，（ａ）平坦状の対向面より突出形成した裏板部，（ｂ）テーパ状の対向面を形成する裏板部，（ｃ）楕円状の対向面を形成する裏板部の断面図。
【図６】実施形態例３における，対向段部を有する建築板と通常の建築板との接合構造の断面図。
【図７】実施形態例４における，合決り構造を有する建築板の接合構造の断面図。
【図８】従来例における，建築板の接合構造の断面図。
【符号の説明】
１．．．建築板の接合構造，
２．．．建築板，
２１．．．側端部，
２２．．．対向面，
２３．．．対向段部，
２４．．．シーリング室，
２５．．．裏板部，
３．．．間隙，
４．．．シーリング材，
５．．．目地板，
【図１】
0003915316.tif 000002
【図２】
0003915316.tif 000003
【図３】
0003915316.tif 000004
【図４】
0003915316.tif 000005
【図５】
0003915316.tif 000006
【図６】
0003915316.tif 000007
【図７】
0003915316.tif 000008
【図８】
0003915316.tif 000009